(57)【特許請求の範囲】
【請求項１】
被取付体に形成される開口部に挿通される電線を覆う小径筒部と、前記小径筒部の先端に設けられ、前記開口部の縁部を覆うように前記被取付体に密着するリップ部を有する大径筒部とが設けられたグロメット本体を備えるグロメットであって、
前記グロメット本体と別体に形成される外套カバーをさらに備え、
前記外套カバーは、
前記グロメット本体に取り付けられる本体取付部と、
前記本体取付部と一体に形成されるとともに、前記被取付体に向かって延びる壁部とを備え、
前記壁部の先端と前記被取付体との間には、所定の隙間が設けられ、且つ、前記壁部の内周面と前記グロメット本体の前記大径筒部の外周面との間には、隙間が設けられることを特徴とするグロメット。
【請求項２】
請求項１に記載のグロメットであって、
前記グロメット本体が取り付けられるインナー部材を備え、前記インナー部材を介して前記グロメット本体が前記被取付体に取り付けされることを特徴とするグロメット。
【請求項３】
請求項１又は請求項２に記載のグロメットであって、
前記壁部は、前記被取付体側に向かうに連れて、前記電線の延在方向に沿った線から離れるように設けられることを特徴とするグロメット。
【請求項４】
請求項１乃至請求項３の何れかに記載のグロメットに使用されることを特徴とする外套カバー。
【発明の詳細な説明】
【技術分野】
【０００１】
本発明は、自動車等に設けられたパネルに装着されるグロメット、及び、このグロメットに取り付けられる外套カバーに関する。
【背景技術】
【０００２】
従来から、自動車のエンジンルーム側の室外と室内側との隔壁をなすパネル（被取付体）に電線（ワイヤハーネス含む）を挿通させる場合、パネルに形成されるパネル孔（開口部）にグロメットを介して電線を挿通させることによって、室外と室内とのシール性能（防水性能）が維持されている。
【０００３】
一般的に、この種のグロメットは、パネル孔の縁部に係止されるインナー部材と、パネル孔に挿通される電線を覆う小径筒部の先端に大径筒部が設けられたグロメット本体とを備えている（例えば、特許文献１，２参照）。この大径筒部には、パネル孔の縁部を覆うようにパネルに密着するリップ部を有している。
【先行技術文献】
【特許文献】
【０００４】
【特許文献１】特開２００３−２３５１３１号公報
【特許文献２】特開２００７−２２７０２６号公報
【発明の概要】
【発明が解決しようとする課題】
【０００５】
しかしながら、上述した従来のグロメットでは、例えば洗車の際に高圧洗浄機から噴射された高圧噴射水がリップ部に直接当たると、リップ部が変形してリップ部がパネルに接触する圧力（接触圧）が低下し、そのリップ部とパネルとの接触部分に隙間ができてしまうことがあった。このため、パネル孔から水が進入してしまうことがあり、シール性能については未だ改善の余地があるのが現状であった。
【０００６】
そこで、本発明は、高圧洗浄機から噴射された高圧噴射水が当たっても、シール性能の低下を抑制できるグロメット、及び、このグロメットに取り付けられる外套カバーの提供を目的とする。
【課題を解決するための手段】
【０００７】
上述した課題を解決するため、本発明は、次のような特徴を有している。まず、本発明の第１の特徴は、被取付体（パネルＰ）に形成される開口部（パネル孔Ｐ１）に挿通される電線（電線Ｗ）を覆う小径筒部（小径筒部２１）と、前記小径筒部の先端に設けられ、前記開口部の縁部（縁部Ｐ２）を覆うように前記被取付体に密着するリップ部（リップ部２３）を有する大径筒部（大径筒部２２）とが設けられたグロメット本体（グロメット本体２０）を少なくとも備えるグロメット（グロメット１）であって、前記グロメット本体と別体に形成される外套カバー（外套カバー３０）をさらに備え、前記外套カバーは、前記グロメット本体に取り付けられる本体取付部（本体取付部３１）と、前記本体取付部と一体に形成されるとともに、前記被取付体に向かって延びる壁部（壁部３２）とを備え、前記壁部の先端と前記被取付体との間には、所定の隙間が設けられ、且つ、前記壁部の内周面と前記グロメット本体の前記大径筒部の外周面との間には、隙間が設けられることを要旨とする。
【０００８】
かかる特徴によれば、壁部が被取付体に向かって延びるため、洗車の際に高圧洗浄機から噴射された高圧噴射水が壁部に当たり、該高圧噴射水がリップ部に直接当たることを抑制できる。加えて、外套カバーは、グロメット本体と別体に形成されるため、高圧噴射水が壁部に当たることにより生じる外套カバーの振動がグロメット本体に伝わり難くなる。
【０００９】
このため、リップ部が変形し難くなり、リップ部がパネルに接触する圧力（接触圧）が低下することなく、そのリップ部とパネルとの接触部分に隙間ができてしまうことを防止できる。従って、開口部から水が進入してしまうことがなく、シール性能の低下を抑制できる。
【００１１】
かかる特徴によれば、壁部の先端と被取付体との間に所定の隙間が設けられるため、リップ部がパネルに接触する圧力（接触圧）をより低下させ難くなり、シール性能の低下をより確実に抑制できる。
【００１２】
本発明の第２の特徴は、本発明の第１の特徴に係るグロメットであって、前記グロメット本体が取り付けられるインナー部材を備え、前記インナー部材を介して前記グロメット本体が前記被取付体に取り付けされることを要旨とする。
本発明の第３の特徴は、本発明の第１又は第２の特徴に係るグロメットであって、前記壁部は、前記被取付体側に向かうに連れて、前記電線の延在方向に沿った線（中心線ＣＬ）から離れるように設けられることを要旨とする。
【００１３】
かかる特徴によれば、壁部が被取付体側に向かうに連れて電線の延在方向に沿った線から離れるように設けられるため、高圧噴射水が壁部に垂直に当たることを防止でき、高圧噴射水の圧力を分散できる。このため、外套カバーがグロメット本体から外れ難くなり、外套カバーの取付強度が増大し、シール性能の低下をより確実に抑制できる。
【００１４】
本発明の第４の特徴は、第１乃至第３の何れかに記載のグロメットに使用されることを要旨とする。
【発明の効果】
【００１５】
本発明の特徴によれば、高圧洗浄機から噴射された高圧噴射水が当たっても、シール性能の低下を抑制できるグロメット、及び、このグロメットに取り付けられる外套カバーを提供することができる。
【図面の簡単な説明】
【００１６】
【図１】図１は、本実施形態に係るグロメット１を示す分解斜視図である。
【図２】図２は、本実施形態に係るグロメット１を示す断面図である。
【図３】図３は、変更例に係るグロメット１を示す断面図である。
【発明を実施するための形態】
【００１７】
次に、本発明に係るグロメット及びこのグロメットに取り付けられる外套カバーの実施形態について、図面を参照しながら説明する。具体的には、（１）グロメットの構成、（２）作用・効果、（３）変更例、（４）その他の実施形態について説明する。
【００１８】
なお、以下の図面の記載において、同一または類似の部分には、同一または類似の符号を付している。ただし、図面は模式的なものであり、各寸法の比率などは現実のものとは異なることに留意すべきである。
【００１９】
したがって、具体的な寸法などは以下の説明を参酌して判断すべきである。また、図面相互間においても互いの寸法の関係や比率が異なる部分が含まれ得る。
【００２０】
（１）グロメットの構成
まず、本実施形態に係るグロメット１の構成について、図面を参照しながら説明する。図１は、本実施形態に係るグロメット１を示す分解斜視図である。図２は、本実施形態に係るグロメット１を示す断面図である。
【００２１】
図１及び図２に示すように、グロメット１は、自動車のエンジンルーム側の室外と室内側との隔壁をなすパネルＰ（被取付体）に電線Ｗ（ワイヤハーネス含む）を挿通させる際に、パネルＰに形成されるパネル孔Ｐ１（開口部）に取り付けられるものである。
【００２２】
グロメット１は、パネルＰに形成されるパネル孔Ｐ１の縁部Ｐ２に係止されるインナー部材１０と、インナー部材１０に取り付けられるグロメット本体２０と、グロメット本体２０と別体に形成される外套カバー３０とを備えている。
【００２３】
インナー部材１０は、樹脂等によって形成されている。このインナー部材１０は、パネル孔Ｐ１に挿通される環状部１１と、環状部１１の周囲に設けられ、パネル孔Ｐ１の縁部Ｐ２に係止される爪部１２とを有している。
【００２４】
グロメット本体２０は、ゴム等によって形成されている。このグロメット本体２０は、パネル孔Ｐ１に挿通される電線Ｗを覆う小径筒部２１と、小径筒部２１の先端に一体形成される大径筒部２２とを備えている。
【００２５】
大径筒部２２は、小径筒部２１よりも大径をなしている。大径筒部２２の内周面には、インナー部材１０のフランジ１３が嵌合される環状溝２２Ａ（図２参照）が形成されており、インナー部材１０が大径筒部２２に装着されるようになっている。大径筒部２２は、パネル孔Ｐ１の縁部Ｐ２を覆おうようにパネルＰに密着するリップ部２３を有している。
【００２６】
外套カバー３０は、樹脂等によって形成されており、グロメット本体２０と同心円状に設けられる。外套カバー３０は、大径筒部２２と、係止孔４１が形成されるゴム製のカバー取付リング４０との間で挟持される。
【００２７】
外套カバー３０は、グロメット本体２０の大径筒部２２に取り付けられる本体取付部３１と、本体取付部３１と一体に形成されるとともに、パネルＰに向かって延びる壁部３２とを備えている。
【００２８】
本体取付部３１は、平面状に形成されている。この本体取付部３１には、小径筒部２１が挿通可能な挿通孔３１Ａが形成されている。挿通孔３１Ａの周縁には、カバー取付リング４０側に突出して係止孔４１に係止される係止突起３１Ｂが設けられている。また、本体取付部３１の大径筒部２２側の面には、大径筒部２２側に突出して大径筒部２２に嵌合する嵌合筒部３１Ｃが設けられている。
【００２９】
壁部３２は、リップ部２３を覆うように設けられている。この壁部３２の先端３２ＡとパネルＰとの間には、所定の隙間Ｇが設けられる。所定の隙間Ｇとは、自動車等の振動によってパネルＰに接触しない程度の隙間で且つリップ部２３近傍を覆うことが可能な隙間を示し、任意に設定できるものである。
【００３０】
壁部３２は、パネルＰ側に向かうに連れて、電線Ｗの延在方向に沿った中心線ＣＬから離れるように設けられる。つまり、壁部３２は、パネルＰ側に向かうに連れて、大径筒部２２から離れるように傾斜した状態で設けられている。
【００３１】
（２）作用・効果
以上説明した本実施形態では、壁部３２がパネルＰに向かって延びるため、洗車の際に高圧洗浄機１００から噴射された高圧噴射水１０１（図２参照）が壁部３２に当たり、該高圧噴射水１０１がリップ部２３に直接当たることを抑制できる。加えて、外套カバーは、グロメット本体２０と別体に形成されるため、高圧噴射水１０１が壁部３２に当たることにより生じる外套カバーの振動がグロメット本体２０に伝わり難くなる。
【００３２】
このため、リップ部２３が変形し難くなり、リップ部２３がパネルＰに接触する圧力（接触圧）が低下することなく、そのリップ部２３とパネルＰとの接触部分に隙間ができてしまうことを防止できる。従って、パネル孔Ｐ１から水が進入してしまうことがなく、シール性能の低下を抑制できる。
【００３３】
本実施形態では、壁部３２の先端とパネルＰとの間に所定の隙間Ｇが設けられるため、リップ部２３がパネルＰに接触する圧力（接触圧）をより低下させ難くなり、シール性能の低下をより確実に抑制できる。
【００３４】
本実施形態では、壁部３２がパネルＰ側に向かうに連れて電線Ｗの延在方向に沿った中心線ＣＬから離れるように設けられるため、高圧噴射水が壁部３２に垂直に当たることを防止でき、高圧噴射水の圧力を分散できる。このため、外套カバー３０がグロメット本体２０から外れ難くなり、外套カバー３０の取付強度が増大し、シール性能の低下をより確実に抑制できる。
【００３５】
（３）変更例
次に、上述した実施形態に係るグロメット１の変更例について、図面を参照しながら説明する。図３は、変更例に係るグロメット１を示す断面図である。なお、上述した実施形態に係るグロメット１と同一部分には同一の符号を付して、相違する部分を主として説明する。
【００３６】
上述した実施形態では、大径筒部２２とカバー取付リング４０との間で挟持されることによって、グロメット本体２０に外套カバー３０が取り付けられている。
【００３７】
これに対して、変更例では、図３に示すように、カバー取付リング４０が設けられてなく、大径筒部２２に形成される凹部２４に、本体取付部３１に形成される圧入突起３１Ｄが圧入固定されることによって、グロメット本体２０に外套カバー３０が取り付けられる。
【００３８】
このような変更例では、上述した実施形態と同様にシール性能の低下を抑制できることは勿論、カバー取付リング４０が不要となるため、部品点数を削減できるとともに、グロメット本体２０に外套カバー３０を容易に取り付けることができる。
【００３９】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４０】
例えば、本発明の実施形態は、次のように変更することができる。具体的には、グロメット１は、自動車に使用されるものとして説明したが、これに限定されるものではなく、その他の車両等に設けられていてもよい。
【００４１】
また、グロメット１は、自動車のパネルＰ（被取付体）に形成されるパネル孔Ｐ１（開口部）に取り付けられるものとして説明したが、これに限定されるものではなく、各種産業機器や住宅等において電線（長尺状の部材）が挿通される仕切壁などに取り付けられるものであってもよい。
【００４２】
また、グロメット１は、インナー部材１０を介してパネル孔Ｐ１の縁部Ｐ２に取り付けられるものとして説明したが、これに限定されるものではなく、例えば、グロメット本体２０がパネル孔Ｐ１の縁部Ｐ２に直接係止される構成であってもよい。
【００４３】
また、外套カバー３０（本体取付部３１）は、グロメット本体２０の大径筒部２２に取り付けられるものとして説明したが、これに限定されるものではなく、グロメット本体２０の小径筒部２１に取り付けられてもよい。なお、外套カバー３０の形状についても、実施形態で説明したものに限定されるものではなく、適宜変更することができる。
【００４４】
また、壁部３２の先端３２ＡとパネルＰとの間には、所定の隙間Ｇが設けられるものとして説明したが、これに限定されるものではなく、所定の隙間Ｇが設けられていなくてもよい。
【００４５】
また、壁部３２は、パネルＰ側に向かうに連れて中心線ＣＬから離れるように設けられるものとして説明したが、これに限定されるものではなく、中心線ＣＬと略平行に設けられていてもよい。
【００４６】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００４７】
１…グロメット
１０…インナー部材
２０…グロメット本体
２１…小径筒部
２２…大径筒部
２３…リップ部
３０…外套カバー
３１…本体取付部
３２…壁部
Ｐ…パネル（被取付体）
Ｐ１…パネル孔（開口部）
Ｗ…電線
Ｇ…隙間
ＣＬ…中心線
【図１】
0005913952.tif 000002
【図２】
0005913952.tif 000003
【図３】
0005913952.tif 000004